(57)【特許請求の範囲】
【請求項１】
上部が開口された箱状の箱体（２）と、箱体の底面から外部方向に延出された排水円筒（３）と、排水円筒の外周に周設された係合突条（４）を主要部とする集水器本体（１）と、筒状であってその軸方向端部のそれぞれから内周に向かって突出した突起（６１）と係合溝（６２）を有する係合リング（６）から成る樋集水器において、排水円筒（３）の端部に係止縁（５）を配置させ、係止縁に係合する外形は角形エルボ（８）に嵌合する角形状であり、内形は係止縁（５）に係合する円形状である係合プレート（７）を設けた樋集水器。
【請求項２】
係合プレート（７）が板状である請求項１記載の樋集水器。
【発明の詳細な説明】
【技術分野】
【０００１】
本発明は、軒樋からの雨水を集めるための樋集水器に関するものである。
【背景技術】
【０００２】
雨樋の集水器としては、軒樋からの雨水を集めるための集水器本体と、この集水器本体の底面から外部方向に延出された排水円筒と、その下方に接続された角形エルボと、この角形エルボを集水器本体に外周から係合する係合リングから構成されている樋集水器が提供されている（例えば特許文献１）。
【０００３】
この公報記載の樋集水器は、集水器本体の底部に下方に突設した状態で落とし口となる排水円筒を一体に形成し、この排水円筒と角形エルボとを係合リングを介して接続したものであって、排水円筒の上方外周面に周方向に長い係合突条を設けてこの係合突条の上に溝を形成させ、係合リングの内周面に突起を設け、この突起が排水円筒の溝の中に回動可能に挿入した状態にして、係合リングの中に集水器の排水円筒を装着し連結したものである。又、係合リングと角形エルボとも同様な構造で回転自在に連結している。
【０００４】
このように集水器本体と角形エルボとが回転自在に連結された樋集水器の構造では、角形エルボの方向を自由に変えることができ施工性が便利である。しかし、角形エルボとの接続に際しては、排水円筒と角形エルボの接合面のコーナーに隙間が生じて、その隙間から水漏れする場合があった。
【特許文献１】実開平３−５８２２号公報
【発明の開示】
【発明が解決しようとする課題】
【０００５】
本発明は、角形エルボが回転自在に連結できる樋集水器において、角形エルボとの接続面から水漏れしにくい樋集水器を提供することにある。
【課題を解決するための手段】
【０００６】
本発明者は、課題を解決するために鋭意検討した結果、角形エルボ８との接続面から水漏れしにくい樋集水器１０とするには、排水円筒３と角形エルボ８の接続面のコーナーにできる隙間Ｓを埋めることが重要な要因であることを見出し、本発明を完成した。
【０００７】
本発明は、上部が開口された箱状の箱体２と、箱体の底面から外部方向に延出された排水円筒３と、排水円筒の外周に周設された係合突条４を主要部とする集水器本体１と、筒状であってその軸方向端部のそれぞれから内周に向かって突出した突起６１と係合溝６２を有する係合リング６から成る樋集水器において、排水円筒３の端部に係止縁５を配置させ、係止縁に係合する係合プレート７を設けた樋集水器である。さらに、係合プレート７が板状である。又、係合プレート７の外形は角形エルボ８に嵌合する角形状であり、係合プレート７の内形は係止縁５に係合する円形状である。
【発明の効果】
【０００８】
本発明によれば、排水円筒３と角形エルボ８の接続面のコーナーにできる隙間Ｓが塞がり、角形エルボ８との接続で水漏れしにくい樋集水器を得ることができる。
【発明を実施するための最良の形態】
【０００９】
本発明について図面を参照しながら説明する。図１は、本発明の一例を示す樋集水器１０と角形エルボ８の関係を示す説明図である。図２は、本発明の一例を示す樋集水器１０と角形エルボ８の嵌合状態を示す概略断面図である。図３は、従来の一例を示す樋集水器と角形エルボの嵌合状態を示す概略断面図である。
【００１０】
図１において、１０は樋集水器であり、図示しない軒樋に取り付けられる集水器本体１と、集水器本体１の下方に突出した落とし口２１と、落とし口２１の下端部を挿入し図示しない呼び樋、又は、竪樋に接続される角形エルボ８と、落とし口２１に外挿し上端部が係合突条４と回動自在に係合し下端部が角形エルボ８に係合する係合リング６とからなる。
【００１１】
集水器本体１には、箱体２の底面に開口部２２が設けられ、箱体２の側壁の一方、又は、双方向に開口（図示省略）が設けられていて、この開口の中に軒樋を差し込んで使用する。すると、軒樋から流れ込んだ雨水が箱体２の底面から排水円筒３の方向に流れ込み下方に流れ落ちるようになっている。
【００１２】
下方に向けて先細りとなっている排水円筒３の上方外周に、係合突条４が周設されている。排水円筒３の下端部に、係合プレート７を係止する係止縁５を配設する。又、排水円筒３の下端部は、角形エルボ８の上方開口部に挿入されるようになっている。
【００１３】
角形エルボ８は角筒状の継手であり、一定の角度を有するものから角度が変わらないものもある。又、角形エルボ８の上端は排水円筒３の下端部を挿入する角筒状接続部８１とされ、下端に図示しない角筒状の呼び樋、又は、竪樋を接続する接続部８２が形成されており、さらに、角筒状接続部８１の上端に突起８３が外方に向かって突設して形成されている。
【００１４】
係合リング６は、下方に行くに従って角形エルボ８の外径に合うように傾斜した丸角形状の短い筒体からなる回転継手であって、排水円筒３を内挿して集水器本体１と接続される。又、係合リング６は、丸形筒状側の軸方向端部のそれぞれから内周に向かって突出した突起６１を複数個突設し、角形筒状側である下方端部側の内周壁に角形エルボ８の突起８３を弾力的に係止する係合溝６２を突設して形成されている。
【００１５】
本発明にかかる係合プレート７を設けるのは、図３の従来例にある排水円筒３と角形エルボ８との接続面のコーナーにできる隙間Ｓを、係合プレート７をその隙間Ｓに嵌合できる大きさとすることでその隙間Ｓが塞がり、角形エルボ８との接続で水漏れしにくい樋集水器１０を得ることができるためである。又、係合プレート７は板状であって、外形は角形エルボ８の内側に嵌合できる形状であり、内形は係止縁５の段部５１に係合し、回転出来るように円形状である。係合プレート７の厚さは、角形エルボ８の角筒状接続部８１に嵌合できることができれば、適宜の厚さでよい。係合プレート７は、排水円筒３の下端部に配設してある係止縁５の段部５１と係止して樋集水器１０を構成する。
【００１６】
樋集水器１０と角形エルボ８の接続は、係合リング６を介して行われる。具体的に言えば、係合リング６の突起６１を、排水円筒３の外周に周設された係合突条４に係止させて集水器本体１と係合リング６を係合させ、角形エルボ８を接続させることにより、樋集水器１０と角形エルボ８の接続が完成する。
【００１７】
本発明の樋集水器１０の材質としては、特に限定されるものではないが、例えば、硬質塩化ビニル樹脂、ポリエチレン樹脂、ポリプロピレン樹脂、ポリカーボネイト樹脂、アクリル樹脂、ＡＥＳ樹脂（アクリロニトリル・エチレン−プロピレンゴム・スチレン樹脂）等の熱可塑性樹脂の他、ポリフェニレンサルファイドのようなエンジニアリングプラスチック、又は、鉄、ステンレス、銅、アルミニュウムのような金属を単独に使用してもよく、或いは、鉄等の金属製芯材の両側に硬質塩化ビニル樹脂の被覆層を設ける等、これらの材質を適宜組み合わせて使用してもよい。
【００１８】
このようにして本発明の樋集水器は、係合プレート７を設けたことにより、排水円筒３と角形エルボ８との接続面のコーナーにできる隙間Ｓが塞がり、軒樋から樋集水器１０に多量の雨水が流れても水漏れしにくく、角形エルボ８と回転自在に連結された樋集水器１０が、容易に得られることがわかる。
【図面の簡単な説明】
【００１９】
【図１】本発明の一例を示す樋集水器と角形エルボの関係を示す説明図である。
【図２】本発明の一例を示す樋集水器と角形エルボの嵌合状態を示す概略断面図である。
【図３】従来の一例を示す樋集水器と角形エルボの嵌合状態を示す概略断面図である。
【符号の説明】
【００２０】
１０  樋集水器
１ 集水器本体
２ 箱体
２１  落とし口
２２  開口部
３ 排水円筒
４ 係合突条
５  係止縁
５１  段部
６ 係合リング
６１ 突起
６２  係合溝
７  係合プレート
８ 角形エルボ
８１  角筒状接続部
８２  接続部
８３  突起
Ｓ  隙間
【図１】
0004739907.tif 000002
【図２】
0004739907.tif 000003
【図３】
0004739907.tif 000004